(57)【要約】    【目的】被検査物を取り扱う業務従事者に不快な電気ショックを与えることがないランドリモニタを提供する。    【構成】搬送部を構成する上下のコンベアを、少なくとも、導電性膜を表面に成膜されたゴム製の搬送ベルト群と駆動ローラとテンションローラと金属製の固定位置ローラとで構成し、筐体を介して固定位置ローラをアースに接続する。図1に示した上側コンベアの場合には、不図示の衣類等に発生した静電気が上側丸ベルト27aの導電性膜を通って固定位置ローラ30aおよび31aから不図示の筺体を経てアースに放電される。下側コンベアも同様である。搬送用ベルトを導電性ゴム製とすることも有効であり、金属製のローラは固定位置ローラでなくてもよく、樹脂製のローラの表面に導電性処理を施してもよい。【選択図】        図１
2005233667.tif 000002
【特許請求の範囲】
【請求項１】
原子力発電所等の放射性物質取扱施設において作業した業務従事者が着用した衣類等の放射能汚染の有無を検査するランドリモニタであって、
前記衣類等の被検物を搬送する搬送手段を、少なくとも、ゴムを主成分としエンドレスな輪ゴム構造でテンション印加状態にある搬送用ベルトと、この搬送用ベルトを駆動する駆動用ローラと、搬送用ベルトを保持するローラとで構成し、
前記搬送用ベルトの少なくとも表面を導電性とし、
前記駆動用ローラおよびローラの内の少なくとも１つの少なくとも表面を導電性とし且つその導電性領域をアースに接続している、
ことを特徴とするランドリモニタ。
【発明の詳細な説明】
【技術分野】
【０００１】
この発明は、原子力発電所等の放射性物質取扱施設において作業した業務従事者が着用した衣類等の放射能汚染の有無を検査するランドリモニタに関する。
【背景技術】
【０００２】
図２は従来技術によるランドリモニタの一例の外観を示す斜視図であり、図３はその内部構成を示す側断面図である。
ランドリモニタは、上述したように、放射性物質取扱施設で作業した業務従事者が着用した衣類等の放射能汚染の有無を検査する装置であり、被検査物である衣類等を載せて装置内へ送り込むための折りたたみ式のテーブル１と、被検査物を搬送するための搬送部２と、被検査物からの放射線を検出する放射線検出部４と、制御部５と、「挿入可」表示灯61や音声発生部62やプリンタ63と、装置を操作するためのスイッチ類や表示器等を備えた操作パネル７と、メンテナンス扉８と、不図示の表示灯付き運用モード切換スイッチ等と、を備えている。
搬送部２は、上下2つのコンベアを有し、不図示の駆動用モータで駆動される。被検査物を保持搬送する搬送用ベルトにはゴム製の丸ベルト26および27が使用され、この丸ベルト26および27は、それぞれ駆動ローラ23または24やテンションローラ25、固定位置ローら30等で保持されている。
【０００３】
搬送用ベルトとしては、金網状の金属性ベルトを使用することもできるが、上記の従来例においては、ゴム製の丸ベルトを使用している。その理由は、ゴム製の搬送用ベルトを使用することによって、金属性ベルトの場合に比べて搬送部のコストを下げることができ、且つ搬送用ベルトの交換が容易になって熟練者を必要とせずメンテナンスコストも大幅に低減できるためである。
この種のランドリモニタとしては、特許文献１に記載されている構成のものが知られている。
【特許文献１】特開平６−123776号公報
【発明の開示】
【発明が解決しようとする課題】
【０００４】
被検査物である衣類等を上記のようなゴム製丸ベルト等のゴム製搬送用ベルトで搬送すると、被検査物および雰囲気が乾燥している場合には、搬送用ベルトが電気の絶縁物であるため、搬送中に発生した静電気が被検査物上に蓄積し、業務従事者が被検査物を取り扱う際に、業務従事者に不快な電気ショックを与えることがある。
この発明の課題は、このような不快な電気ショックを業務従事者に与えないランドリモニタを提供することである。
【課題を解決するための手段】
【０００５】
この発明は、原子力発電所等の放射性物質取扱施設において作業した業務従事者が着用した衣類等の放射能汚染の有無を検査するランドリモニタであって、前記衣類等の被検査物を搬送する搬送手段を、少なくとも、ゴムを主成分としてエンドレスな輪ゴム構造でテンション印加状態にある搬送用ベルトと、この搬送用ベルトを駆動する駆動用ローラと、搬送用ベルトを保持するローラとで構成し、前記搬送用ベルトの少なくとも表面を導電性とし、前記駆動用ローラおよびローラの内の少なくとも１つの少なくとも表面を導電性とし且つその導電性領域をアースに接続している。
ゴム製の搬送用ベルトの少なくとも表面を導電性とし、駆動用ローラおよびローラの内の少なくとも１つの少なくとも表面を導電性とし且つその導電性領域をアースに接続しているので、搬送用ベルトに搭載された衣類等の被検査物に静電気が発生しても、その静電気は搬送用ベルトの導電部から導電性を有するローラの導電部を経てアースに放電され、被検査物に静電気が蓄積されない。
【発明の効果】
【０００６】
この発明においては、ゴム製の搬送用ベルトの少なくとも表面を導電性とし、駆動用ローラおよびローラの内の少なくとも１つの少なくとも表面を導電性とし且つその導電性領域をアースに接続しているので、搬送用ベルトに搭載された衣類等の被検査物に静電気が発生しても、その静電気は搬送用ベルトの導電部からローラの導電部を経てアースに放電され、被検査物に静電気が蓄積されない。したがって、この発明によれば、業務従事者が被検査物を取り扱う際に蓄積した静電気による不快な電気ショックを受けることがないランドリモニタを提供することができる。
【発明を実施するための最良の形態】
【０００７】
この発明によるランドリモニタは、衣類等の被検査物に発生した静電気を導電性を有するゴム製の搬送用ベルトとこれを保持する導電性を有するローラを介してアースに放電することを特徴とする。すなわち、前述したゴム製の搬送用ベルトの長所を生かしながら、被検査物の静電気帯電を防止して業務従事者に不快な電気ショックを与えることをなくしている。
以下に、実施例を用いてこの発明を実施するための最良の形態を説明する。
なお、従来技術と同じ機能の部分には同じ符号を付ける。
図1は、この実施例の構成を示す上側コンベア部の斜視図である。
この実施例の外観および内部構成は従来例と同様であるので、図２および図３をベースにして説明し、従来例と異なる部分、すなわち、搬送部とその構成要素である丸ベルトおよび固定位置ローラとには、図1に示したように、符号に「ａ」を追加して示す。
【０００８】
この実施例は、従来例と同様に、被検査物である衣類等を載せて装置内へ送り込むための折りたたみ式のテーブル１と、被検査物を搬送するための搬送部2aと、被検査物からの放射線を検出する放射線検出部４と、制御部５と、「挿入可」表示灯61や音声発生部62やプリンタ63と、装置を操作するためのスイッチ類や表示器等を備えた操作パネル７と、メンテナンス扉８と、不図示の表示灯付き運用モード切換スイッチ等と、を備えている。
搬送部2aは、不図示の駆動用モータおよびモータの動力を伝える動力伝達ベルトと、動力伝達ベルトに駆動される下側駆動ローラ23および上側駆動ローラ24と、これらのローラ23および24でそれぞれに駆動される搬送用ベルトとしてのゴム製の下側丸ベルト26aおよび上側丸ベルト27aと、これらの丸ベルト26aおよび27aの位置を決める複数の固定位置ローラ30aおよび31a、32a等と、これらの丸ベルト26aおよび27aの位置を決め且つこれらの丸ベルト26aおよび27aに適当な張力を付与する上下それぞれのテンションローラ25および不図示のテンション調節機構と、搬送される被検査物の位置を検知する入口側光電センサ28および出口側光電センサ29と、で構成されている。下側駆動ローラ23および上側駆動ローラ24は、被検査物を搬送する部分の丸ベルト26aおよび27aが弛むことを避けるために、被検査物を搬送する部分の出口側に配置されて、丸ベルト26aおよび27aをそれぞれに引っ張っている。
【０００９】
下側駆動ローラ23および上側駆動ローラ24と、複数の固定位置ローラ32a等および30a、31aと、テンションローラ25と、下側丸ベルト26aおよび上側丸ベルト27aとが、下上それぞれのコンベアを構成している。それぞれのコンベアには、60本前後の丸ベルト26aまたは27aが使用されていて、丸ベルト群を構成している。下側丸ベルト26aおよび上側丸ベルト27aの表面には導電性膜が成膜されている。前記の各種ローラ23等には、丸ベルト26aおよび27aの位置を正確に保たせるための位置決め用溝241および251等が形成されている。これらのローラの内の固定位置ローラ30aおよび31a、32a等は、金属製であり、他のローラは金属棒を芯として外側を樹脂製としたものである。固定位置ローラ30aおよび31a、32a等は筐体を介してアースに接続されている。
放射線検出部４は、プラスチックシンチレータ検出器41と、これを囲む鉛シールド42と、不図示の信号処理回路とで構成されている。
【００１０】
「挿入可」表示灯61は、被検物の装置内部滞留等の異常がない場合に点灯され、業務従事者が被検査物を折りたたみ式のテーブル１の上に載せて下側丸ベルト26等で構成されるコンベアへ挿入すると、音声発生部62が「ピンポン」という音を発生する。挿入された被検査物は、操作パネル７の測定開始ボタンの操作によって搬送され、放射線検出部４で放射能汚染の有無を検査され、その検査結果によって仕分けられる。検査結果や設定値等はプリンタ63で印刷される。また、運用モード切換スイッチによって、運用モードが、通常測定用の自動モード、線源を用いた放射線検出器の校正時等に適用される校正モード、またはメンテナンス時に適用される手動モードに切り換えられる。
操作パネル７は、測定を開始させる測定開始ボタン、測定を終了させる測定終了ボタン、機器の故障や異常等の各種情報を表示するＬＣＤ操作表示器、故障および異常が復旧した後に警報をリセットする警報リセットスイッチ、測定した被検査物の枚数をカウントするカウンタをリセットするカウンタリセットスイッチ等を備えている。
【００１１】
この実施例は、搬送用ベルトとして表面に導電性膜を成膜された下側丸ベルト26aおよび上側丸ベルト27aを備え、これらを保持する固定位置ローラとして金属製の固定位置ローラ30aおよび31a、32a等を備え、筐体を介してこれらの固定位置ローラをアースに接続しているので、搬送される衣類等の被検査物に静電気が発生しても、その静電気は丸ベルト26a等から固定位置ローラ30a等を介してアースへ放電されて、衣類等に蓄積されることがなく、衣類等を取り扱う業務従事者に不快な電気ショックを与えることがない。
上記の実施例においては、下側丸ベルト26aおよび上側丸ベルト27aとして表面に導電性膜を成膜されたものが用いられているが、導電性ゴム製の搬送用ベルトに置き換えることも可能である。また、固定位置ローラとして金属製のものが用いられ、これらが筐体を介してアースに接続されているが、この目的は衣類等の被検査物に発生する静電気を搬送用ベルトからアースに放電させることであるから、いずれかのローラの表面が導電性であり、その導電領域がアースに接続されていればよいのであって、固定位置ローラに限定されることも、金属製に限定されることもない。
【図面の簡単な説明】
【００１２】
【図１】この発明によるランドリモニタの実施例の構成を示す上側コンベア部の斜視図
【図２】従来技術によるランドリモニタの一例の外観を示す斜視図
【図３】従来例の内部構成を示す側断面図
【符号の説明】
【００１３】
１  折りたたみ式テーブル
２  搬送部
23  下側駆動ローラ
24  上側駆動ローラ                      241  位置決め用溝
25  テンションローラ                    251  位置決め用溝
26  下側丸ベルト
27、27a  上側丸ベルト
28  入口側光電センサ
29  出口側光電センサ
30、31、32、30a、31a  固定位置ローラ
４  放射線検出部
41  プラスチックシンチレータ検出器
42  鉛シールド
５  制御部
61  「挿入可」表示灯
62  音声発生部
63  プリンタ
７  操作パネル
８  メンテナンス扉
【図１】
2005233667.tif 000003
【図２】
2005233667.tif 000004
【図３】
2005233667.tif 000005